【手続補正書】
【提出日】平成22年12月16日(2010.12.16)
【手続補正１】
【補正対象書類名】特許請求の範囲
【補正対象項目名】全文
【補正方法】変更
【補正の内容】
【特許請求の範囲】
【請求項１】
画像から被写体を検出する被写体検出手段と、
前記被写体検出手段により検出した被写体に関する情報を画像に関連付けて記録する記録手段と、
画像に対して被写体検出を実施済みかどうかを判定する被写体検出実施判定手段とを有し、
前記被写体検出実施判定手段により被写体検出未実施であると判定された場合に、前記被写体検出手段により被写体検出を実施し、前記記録手段により検出した被写体に関する情報を画像に関連付けて記録することを特徴とする画像処理装置。
【請求項２】
更に、被写体検出処理アルゴリズムを識別する被写体検出アルゴリズム識別手段を有し、
前記被写体検出実施判定手段により被写体検出が実施済みであると判定された場合に、当該画像に被写体検出を実施した被写体検出処理アルゴリズムを前記被写体検出アルゴリズム識別手段により識別し、
識別された前記被写体検出処理アルゴリズムと、前記画像処理装置の有する被写体検出処理アルゴリズムとの比較に基づき、被写体検出が実施済みであると判定された画像に対して更に被写体検出を実施するか否かを制御する制御手段を有することを特徴とする請求項１に記載の画像処理装置。
【請求項３】
前記被写体検出手段は、人物の顔を検出する手段であることを特徴とする請求項１または２に記載の画像処理装置。
【請求項４】
前記記録手段は、前記被写体検出手段により検出した被写体に関する情報を画像に関連付けて、画像のヘッダ領域に、または前記画像とは別のファイルとして記録することを特徴とする請求項１ないし３のいずれか１項に記載の画像処理装置。
【請求項５】
画像を表示する表示手段を更に有し、
前記被写体検出実施判定手段により被写体検出を実施済みかどうかを判定するのは、前記表示手段により画像を表示するときであることを特徴とする請求項１ないし４のいずれか１項に記載の画像処理装置。
【請求項６】
前記被写体検出アルゴリズム識別手段は、被写体検出処理アルゴリズムのバージョン情報、または被写体検出を実施した機器の情報により被写体検出処理アルゴリズムの識別を行うことを特徴とする請求項２に記載の画像処理装置。
【請求項７】
画像から被写体を検出する被写体検出手段と、
前記被写体検出手段により検出した被写体に関する情報を画像に関連付けて記録する記録手段と、
被写体検出処理アルゴリズムを識別する被写体検出アルゴリズム識別手段とを有し、
識別された前記被写体検出処理アルゴリズムと、当該画像処理装置の有する被写体検出処理アルゴリズムとの比較に基づき、被写体検出が実施済みであると判定された画像に対して更に被写体検出を実施するか否かを制御する制御手段を有することを特徴とする画像処理装置。
【請求項８】
前記被写体検出手段により被写体検出を実施した場合に、前記記録手段により検出した被写体に関する情報を画像に関連付けて記録することを特徴とする請求項７に記載の画像処理装置。
【請求項９】
前記被写体検出アルゴリズム識別手段は、被写体検出処理アルゴリズムのバージョン情報、または被写体検出を実施した機器の情報により被写体検出処理アルゴリズムの識別を行うことを特徴とする請求項７または８に記載の画像処理装置。
【請求項１０】
前記被写体検出手段は、人物の顔を検出する手段であることを特徴とする請求項７ないし９のいずれか１項に記載の画像処理装置。
【請求項１１】
前記記録手段は、前記被写体検出手段により検出した被写体に関する情報を画像に関連付けて、画像のヘッダ領域に、または前記画像とは別のファイルとして記録することを特徴とする請求項７ないし１０のいずれか１項に記載の画像処理装置。
【請求項１２】
画像を表示する表示手段を更に有し、
前記被写体検出アルゴリズム識別手段により被写体検出を実施済みかどうかを判定するのは、前記表示手段により画像を表示するときであることを特徴とする請求項７ないし１１のいずれか１項に記載の画像処理装置。
【請求項１３】
画像処理装置の制御方法であって、
画像に対して被写体検出を実施済みかどうかを判定する被写体検出実施判定ステップと、
前記被写体検出実施判定ステップにより被写体検出未実施であると判定された場合に、画像から被写体を検出する被写体検出ステップと、
前記被写体検出ステップにより検出した被写体に関する情報を画像に関連付けて記憶媒体に記録する記録ステップとを有することを特徴とする画像処理装置の制御方法。
【請求項１４】
画像処理装置の制御方法であって、
画像から被写体を検出する被写体検出ステップと、
前記被写体検出ステップにより検出した被写体に関する情報を画像に関連付けて記録する記録ステップと、
被写体検出処理アルゴリズムを識別する被写体検出アルゴリズム識別ステップと、
識別された前記被写体検出処理アルゴリズムと、当該画像処理装置の有する被写体検出処理アルゴリズムとの比較に基づき、被写体検出が実施済みであると判定された画像に対して更に被写体検出を実施するか否かを制御する制御ステップとを有することを特徴とする画像処理装置の制御方法。
【請求項１５】
画像処理装置の制御をコンピュータに実行させるためのプログラムであって、
画像に対して被写体検出を実施済みかどうかを判定する被写体検出実施判定ステップと、
前記被写体検出実施判定ステップにより被写体検出未実施であると判定された場合に、画像から被写体を検出する被写体検出ステップと、
前記被写体検出ステップにより検出した被写体に関する情報を画像に関連付けて記憶媒体に記録する記録ステップとをコンピュータに実行させるためのプログラム。
【請求項１６】
画像処理装置の制御をコンピュータに実行させるためのプログラムであって、
画像から被写体を検出する被写体検出ステップと、
前記被写体検出ステップにより検出した被写体に関する情報を画像に関連付けて記録する記録ステップと、
被写体検出処理アルゴリズムを識別する被写体検出アルゴリズム識別ステップと、
識別された前記被写体検出処理アルゴリズムと、当該画像処理装置の有する被写体検出処理アルゴリズムとの比較に基づき、被写体検出が実施済みであると判定された画像に対して更に被写体検出を実施するか否かを制御する制御ステップとをコンピュータに実行させるためのプログラム。
【手続補正２】
【補正対象書類名】明細書
【補正対象項目名】０００６
【補正方法】変更
【補正の内容】
【０００６】
本発明の画像処理装置は、画像から被写体を検出する被写体検出手段と、前記被写体検出手段により検出した被写体に関する情報を画像に関連付けて記録する記録手段と、画像に対して被写体検出を実施済みかどうかを判定する被写体検出実施判定手段とを有し、前記被写体検出実施判定手段により被写体検出未実施であると判定された場合に、前記被写体検出手段により被写体検出を実施し、前記記録手段により検出した被写体に関する情報を画像に関連付けて記録することを特徴とする。
また、本発明の画像処理装置は、画像から被写体を検出する被写体検出手段と、前記被写体検出手段により検出した被写体に関する情報を画像に関連付けて記録する記録手段と、被写体検出処理アルゴリズムを識別する被写体検出アルゴリズム識別手段とを有し、識別された前記被写体検出処理アルゴリズムと、当該画像処理装置の有する被写体検出処理アルゴリズムとの比較に基づき、被写体検出が実施済みであると判定された画像に対して更に被写体検出を実施するか否かを制御する制御手段を有することを特徴とする。
また、本発明の画像処理装置の制御方法は、画像に対して被写体検出を実施済みかどうかを判定する被写体検出実施判定ステップと、前記被写体検出実施判定ステップにより被写体検出未実施であると判定された場合に、画像から被写体を検出する被写体検出ステップと、前記被写体検出ステップにより検出した被写体に関する情報を画像に関連付けて記憶媒体に記録する記録ステップとを有することを特徴とする。
また、本発明の画像処理装置の制御方法は、画像から被写体を検出する被写体検出ステップと、前記被写体検出ステップにより検出した被写体に関する情報を画像に関連付けて記録する記録ステップと、被写体検出処理アルゴリズムを識別する被写体検出アルゴリズム識別ステップと、識別された前記被写体検出処理アルゴリズムと、当該画像処理装置の有する被写体検出処理アルゴリズムとの比較に基づき、被写体検出が実施済みであると判定された画像に対して更に被写体検出を実施するか否かを制御する制御ステップとを有することを特徴とする。
また、本発明のプログラムは、画像処理装置の制御をコンピュータに実行させるためのプログラムであって、画像に対して被写体検出を実施済みかどうかを判定する被写体検出実施判定ステップと、前記被写体検出実施判定ステップにより被写体検出未実施であると判定された場合に、画像から被写体を検出する被写体検出ステップと、前記被写体検出ステップにより検出した被写体に関する情報を画像に関連付けて記憶媒体に記録する記録ステップとをコンピュータに実行させるためのプログラムである。
また、本発明のプログラムは、画像処理装置の制御をコンピュータに実行させるためのプログラムであって、画像から被写体を検出する被写体検出ステップと、前記被写体検出ステップにより検出した被写体に関する情報を画像に関連付けて記録する記録ステップと、被写体検出処理アルゴリズムを識別する被写体検出アルゴリズム識別ステップと、識別された前記被写体検出処理アルゴリズムと、当該画像処理装置の有する被写体検出処理アルゴリズムとの比較に基づき、被写体検出が実施済みであると判定された画像に対して更に被写体検出を実施するか否かを制御する制御ステップとをコンピュータに実行させるためのプログラムである。